(57)【要約】【課題】読み取った原稿の画像データを確実に送信する。【解決手段】ファクシミリ装置１は、操作部１４のテンキー１４ａ及びメニューボタン１４ｂの操作入力で送信予定枚数を受け付け、読取部１２で読み取って原稿の枚数と送信予定枚数の比較を行う。読み取った原稿の枚数が送信予定枚数に達した場合、読み取られて画像メモリ１９に記憶されている原稿の画像データをモデム２０から、送信に係る操作を行わずに自動的に送信し、読み取った原稿に係る画像データの送信を確実に行う。【選択図】　　　　図１
2004048508.tif 000002
【特許請求の範囲】
【請求項１】
原稿載置台に載置された原稿を読取手段により読み取り、その画像データを送信する通信装置において、
原稿の送信予定枚数を受け付ける受付手段と、
該受付手段が受け付けた送信予定枚数及び前記読取手段が読み取った原稿の枚数を比較する比較手段と、
前記送信予定枚数及び読み取った原稿の枚数が等しい場合、読み取った原稿の画像データを送信する通信手段と
を備えることを特徴とする通信装置。
【請求項２】
前記原稿載置台に原稿が載置されたことを検出する検出手段と、
前記読取手段が原稿を読み取ってからの時間を測定する時間測定手段と、
上限時間を記憶する上限時間記憶手段と、
前記時間測定手段が測定した時間及び上限時間記憶手段が記憶する上限時間を比較する時間比較手段と、
前記読み取った原稿の枚数が前記送信予定枚数より少なく、且つ、前記検出手段が次原稿を検出しない状態で、前記測定した時間が上限時間を越えたとき、上限時間経過の旨を出力する出力手段と
を更に備える請求項１に記載の通信装置。
【請求項３】
送信指示を受け付ける送信受付手段を更に備え、
前記通信手段は、
前記読み取った原稿の枚数が前記送信予定枚数より少ない場合で、前記送信受付手段が送信指示を受け付けたとき、読み取った原稿の画像データを送信する手段を備える請求項１又は請求項２に記載の通信装置。
【請求項４】
前記受付手段が受け付けた送信予定枚数の変更を受け付ける変更受付手段を更に備え、
前記通信手段は、
前記変更受付手段が変更を受け付けた送信予定枚数及び読み取った原稿の枚数が等しい場合、読み取った原稿の画像データを送信する手段を備える請求項１乃至請求項３のいずれかに記載の通信装置。
【発明の詳細な説明】
【０００１】
【発明の属する技術分野】
本発明は、１枚ずつ原稿を手動でセットして原稿の画像データを読み取るタイプの通信装置に関し、特に、読み取った原稿の画像データを確実に送信する通信装置に関するものである。
【０００２】
【従来の技術】
従来、ファクシミリ装置等の通信装置には、原稿の読取方式において、原稿束から自動的に１枚ずつ原稿を取り込んで読取を行う装置を備えるタイプと、ＦＢＳ（Ｆｌａｔ　Ｂｅｄ　Ｓｃａｎｎｅｒ）方式と称される１枚ずつ原稿を手動でセットして読取を行う装置を備えるタイプが存在する。ＦＢＳ方式の読取装置を備えた通信装置は、原稿載置ガラス、原稿の読取部、読み取った原稿の画像データを記憶する画像メモリ、画像データの通信部、及び、スタートボタンや終了ボタン等の各種ボタンを設けた操作部等を具備している。
【０００３】
ＦＢＳ方式の読取装置を備えた通信装置により原稿を送信する場合のオペレータの操作は以下のような内容になる。（１）先ず、原稿載置ガラス上に原稿をセットし、（２）送信先を設定し、この状態で（３）スタートボタンを押し下げて原稿を読み取らせる。（４）複数の原稿を送信する場合は、送信する枚数の回数分、上述した（１）と（３）の操作を繰り返し、（５）最後に、終了ボタンを押し下げて読み取った原稿の画像データを送信する。なお、上述した（１）原稿のセットと、（２）送信先の設定は順序を逆にして操作することも可能である。
【０００４】
【発明が解決しようとする課題】
上述したようにＦＢＳ方式の読取装置を備えた通信装置は、終了ボタンが押し下げられたことを受け付けることにより、その直前に読み取った原稿が最終原稿であることを認識し、読み取った原稿の画像データを送信している。この送信に係る一連の操作をオペレータの立場で考慮すると、各原稿の読取に対してスタートボタンを押し下げると共に、最終原稿に対してはスタートボタンを押し下げてから終了ボタンも押し下げねばならず、各ボタンの押し下げに対する操作の煩雑性により、終了ボタンの押し下げをオペレータが忘れてしまうこともある。
【０００５】
このように通信装置に次原稿が存在しない旨を認識させるための終了ボタンの押し下げが行われなかった場合、次のオペレータが送信操作を開始する場合等に、画像メモリに記憶されていた原稿の画像データが消去又はキャンセル等されてしまうことがあり、送信したつもりの原稿が、実際には送信されていないと云う事態が生じる問題がある。
【０００６】
本発明は、斯かる問題に鑑みてなされたものであり、読み取られた原稿の画像データを確実に送信できる通信装置を提供することを目的とする。
【０００７】
【課題を解決するための手段】
第１発明に係る通信装置は、原稿載置台に載置された原稿を読取手段により読み取り、その画像データを送信する通信装置において、原稿の送信予定枚数を受け付ける受付手段と、該受付手段が受け付けた送信予定枚数及び前記読取手段が読み取った原稿の枚数を比較する比較手段と、前記送信予定枚数及び読み取った原稿の枚数が等しい場合、読み取った原稿の画像データを送信する通信手段とを備えることを特徴とする。
【０００８】
第１発明にあっては、受付手段が受け付けた送信予定枚数と実際に読み取られた原稿の枚数とを比較し、読み取られた原稿枚数が送信予定枚数に達した場合は、通信手段が自動的に通信を開始する。よって、オペレータは先に、送信予定枚数の受付に係る操作を行っておけば、終了ボタンを操作することなしに読み取った原稿の画像データを確実に送信できる。なお、受付手段が受け付ける送信予定枚数は１枚でも２枚以上でも可能である。
【０００９】
第２発明に係る通信装置は、前記原稿載置台に原稿が載置されたことを検出する検出手段と、前記読取手段が原稿を読み取ってからの時間を測定する時間測定手段と、上限時間を記憶する上限時間記憶手段と、前記時間測定手段が測定した時間及び上限時間記憶手段が記憶する上限時間を比較する時間比較手段と、前記読み取った原稿の枚数が前記送信予定枚数より少なく、且つ、前記検出手段が次原稿を検出しない状態で、前記測定した時間が上限時間を越えたとき、上限時間経過の旨を出力する出力手段とを更に備えることを特徴とする。
【００１０】
第２発明にあっては、実際の読み取り原稿枚数が送信予定枚数に達していない場合で、所要の時間内で次に読み取る原稿のセットが検出されないときは、原稿セットに対する所要時間が経過したと云うタイムアップの旨を出力することで、オペレータに処理の状況を知らせることができ、操作に対する注意を促すことができる。なお、このような出力は表示と音声のいずれか、又は、両方で行うことが可能である。また、タイムアップの旨の出力後は送信に係る処理を終了して最初の状態にリセットすることが好適である。
【００１１】
第３発明に係る通信装置は、送信指示を受け付ける送信受付手段を更に備え、前記通信手段は、前記読み取った原稿の枚数が前記送信予定枚数より少ない場合で、前記送信受付手段が送信指示を受け付けたとき、読み取った原稿の画像データを送信する手段を備えることを特徴とする。
【００１２】
第３発明にあっては、読み取られた原稿枚数が送信予定枚数に達しなくても、送信指示を受け付けた場合は、原稿の読取枚数に関係なく読み取った原稿の画像データを送信できる。よって、読取開始後に送信予定枚数に変更が生じた場合等に臨機応変な対応が可能となり、装置の送信に対する処理性能を向上できる。なお、このような送信指示の受付の判断は、上述した時間比較手段による時間の比較と関連付けることが好ましく、例えば、測定された時間が上限時間に達する前に送信指示を受け付けたと云う条件に合致する場合に送信を行うようにすることが好適である。
【００１３】
第４発明に係る通信装置は、前記受付手段が受け付けた送信予定枚数の変更を受け付ける変更受付手段を更に備え、前記通信手段は、前記変更受付手段が変更を受け付けた送信予定枚数及び読み取った原稿の枚数が等しい場合、読み取った原稿の画像データを送信する手段を備えることを特徴とする。
【００１４】
第４発明にあっては、読取開始後に送信予定枚数が増加又は減少した場合でも、送信予定枚数を変更できるため、変更後の送信予定枚数に基づいて自動的に送信を行うことができ、送信予定枚数の変更に対して一段と柔軟に対応できる。なお、このような送信予定枚数の変更の判断も上述の時間比較手段による時間の比較と関連付けて行うことが好ましい。
【００１５】
【発明の実施の形態】
以下、本発明をその実施形態を示す図面に基づいて説明する。
図１は本発明に係る通信装置であるファクシミリ装置１の主要な構成を示している。ファクシミリ装置１は制御部（ＣＰＵ）１０にバス１１を介して、各種ハードウェア部である読取部１２、表示部１３、操作部１４、ＲＯＭ１５、ＲＡＭ１６、原稿検出センサ１７、タイマ部１８、画像メモリ１９、モデム２０、ＮＣＵ（Ｎｅｔｗｏｒｋ　Ｃｏｎｔｒｏｌ　Ｕｎｉｔ）２１、ＣＯＤＥＣ（符号化・復号化器）２２を接続している。
【００１６】
読取部１２は読取手段に相当し、図２に示すファクシミリ装置１の原稿載置台である原稿載置ガラス１ａに載置（セット）される原稿Ｇの画像を読み取るものであり、読み取った原稿Ｇの画像データは画像メモリ１９に記憶されると共に、読み取った原稿の枚数はＲＡＭ１６で記憶されるようにしている。なお、ＲＡＭ１６に記憶される読み取った原稿Ｇの枚数は、送信ジョブ毎に記憶され、送信ジョブの終了に伴いリセットされる。
【００１７】
表示部１３は図２に示すようにパネル部１ｂに設けられた液晶画面であり、各種設定メニュー、操作及び処理等に係る様々なメッセージが表示される。また、本実施形態の表示部１３は出力手段として機能し、処理状況に応じてタイムアップした旨の警告メッセージの表示出力を行う。
【００１８】
操作部１４は、ファクシミリ装置１の各種操作を受け付けるものであり、特に本実施形態では、原稿の送信予定枚数を受け付ける受付手段として機能する。操作部１４は、図２に示すようにファクシミリ装置１の手前のパネル部１ｂに設けられており、各種操作に対応するキー及びボタンとして、図１に示すようにテンキー１４ａ、メニューボタン１４ｂ、スタートボタン１４ｃ、及び、キャンセルボタン１４ｄを備えている。
【００１９】
テンキー１４ａは「０」〜「９」の数字等の受付に使用するキーであり、後述するように選択されている設定メニューに応じてテンキー１４ａを操作することで原稿Ｇの送信予定枚数及び送信先等を設定するようにしている。メニューボタン１４ｂは表示部１３での各種設定メニューの表示、及び、表示される設定メニューの切換等に使用されるボタンである。
【００２０】
上述した各種設定メニューには、原稿Ｇの送信予定枚数の設定メニュー及び送信先の設定メニュー等があり、送信予定枚数の設定メニューが表示された状態で、テンキー１４ａにより受け付けられる数値は原稿Ｇの送信予定枚数になる。また、送信先の設定メニューが表示されている状態で、テンキー１４ａの操作で受け付けられた数値等は送信先のファクシミリ番号になる。
【００２１】
スタートボタン１４ｃは、原稿載置ガラス１ａに載置されている原稿Ｇの読取指示を受け付ける際に使用されるボタンである。キャンセルボタン１４ｄは、実行中の処理の中止、読み取った原稿Ｇの画像データの消去等の指示の受付に使用されるボタンである。
【００２２】
ＲＯＭ１５は、ファクシミリ装置１における各種処理を実行するプログラム、上述した設定メニュー等に係る各種データ及びメッセージ等を記憶すると共に、本実施形態では、上限時間記憶手段としてタイムアップの判断用に予め設定された上限時間を記憶している。なお、記憶されているメッセージには「原稿をセットして下さい」、「送信先を設定して下さい」、「送信予定枚数を設定して下さい」、「次の原稿をセットして下さい」「原稿セットがタイムアップしました」等がある。
【００２３】
ＲＡＭ１６は、各種処理の実行中に生じたデータ等を一時的に記憶するものであり、例えば、ファクシミリ装置１の操作部１４で受け付けられた原稿Ｇの送信予定枚数及び上述した実際の読取枚数等が記憶される。
【００２４】
原稿検出センサ１７は検出手段に相当し、図２に示すように、ファクシミリ装置１の内部で検出方向を原稿載置ガラス１ａへ向けた状態で取り付けられ、原稿載置ガラス１ａに原稿Ｇが載置されたか否かを検出するものである。なお、原稿Ｇを検出した際は、検出信号をバス１１を介して制御部１０へ出力している。また、タイマ部１８は時間測定手段に相当し、読取部１２が原稿Ｇを読み取ってからの時間を測定し、測定した時間をＲＡＭ１６に記憶するようにしている。
【００２５】
画像メモリ１９は、読取部１２が読み取った原稿Ｇの画像データ及びＦＡＸ受信した画像データ等を記憶するものである。モデム２０は、通信手段に相当し、制御部１０の制御に基づき所要の条件で画像データを送信するファクシミリ通信が可能なＦＡＸモデムである。また、ＮＣＵ１０は、公衆電話回線網とアナログ回線Ｌとの閉結及び開放の動作を行うハードウェアであり、モデム２０と接続されて制御部１０の制御に基づきモデム２０を公衆電話回線と接続して、画像メモリ１９に記憶されている画像データを送信するようにしている。なお、ＣＯＤＥＣ２２は、画像データの符号化及び復号化を行うものである。
【００２６】
制御部１０は、ＲＯＭ１５に記憶されているプログラムに基づいて上述した各種ハードウェア部（１２〜２２）の各種制御及び操作部１４の受付内容に応じて各種設定が行われているかの判断を行うと共に、本実施形態では特に、設定された原稿Ｇの送信予定枚数及び読み取られた原稿Ｇの枚数を比較する比較手段、タイマ部１８で測定された時間及び上限時間を比較する時間比較手段等として機能する。
【００２７】
制御部１０の比較手段は、テンキー１４ａで設定されてＲＡＭ１６に記憶されている原稿Ｇの送信予定枚数と、読取部１２が原稿Ｇを１枚読み取る毎に「１」が加算されてＲＡＭ１６に記憶されていく実際に読み取った原稿Ｇの枚数を比較するものである。制御部１０は、この比較により、読取部１２が読み取った原稿枚数が送信予定枚数と等しい場合、画像メモリ１９に記憶されている画像データを送信するようにモデム２０及びＮＣＵ２１を制御する。
【００２８】
また、制御部１０の時間比較手段は、タイマ部１８で測定されてＲＡＭ１６に記憶されている時間と、ＲＯＭ１５に記憶されている上限時間とを比較するものである。制御部１０は、この比較により、測定された時間が上限時間を越えた場合で、且つ、上述した比較手段により読み取った原稿枚数が送信予定枚数より少なく、原稿検出センサ１７からの次原稿の検出に係る検出信号の受付が行われていない場合、上限時間が経過したと云う「原稿セットがタイムアップしました」の警告メッセージをＲＯＭ１５から読み出して表示部１３で表示出力させる。
【００２９】
さらに、制御部１０は、操作部１４のスタートボタン１４ｃが押し下げられると、原稿読取の指示を受け付けて読取部１２が原稿Ｇを読み取るように制御する。また、制御部１０はスタートボタン１４ｃが押し下げられたにも関わらず、原稿検出センサ１７からの検出信号を受け付けていない場合、「原稿をセットして下さい」と云うメッセージをＲＯＭ１５から読み出して表示部１３で表示させる制御を行う。
【００３０】
上記同様にスタートボタンが押し下げられた場合で、送信先の設定が行われていないとき、制御部１０は「送信先を設定して下さい」と云うメッセージを表示させる制御を行い、また、送信予定枚数が設定されていないときは「送信予定枚数を設定して下さい」と云うメッセージを表示するような制御を制御部１０は行う。
【００３１】
なお、制御部１０は、キャンセルボタン１４ｄが押し下げられると、各種ハードウェア部（１２〜２２）が実行中の処理を中止するように制御すると共に、ＲＡＭ１６及び画像メモリ１９に記憶されている各種データを消去して、処理の最初の段階に戻るようにリセットする制御を行う。
【００３２】
また、ファクシミリ装置１には、図２に示すように、原稿載置ガラス１ａに対して開閉自在に押圧板１ｃが設けられており、押圧板１ｃは原稿載置ガラス１ａに載置された原稿Ｇを原稿載置ガラス１ａへ押圧するものである。よって、本実施形態のファクシミリ装置１は、原稿載置ガラス１ａに載置した原稿Ｇを押圧板１ｃで押圧し、この状態で原稿Ｇの画像の読取を行うタイプである。また、原稿Ｇの読取が終わると、オペレータは押圧板１ｃを一旦開放して、読み取った原稿Ｇを取り除き、次原稿を原稿載置ガラス１ａに載置してから押圧板１ｃを閉鎖すると云う作業を行う。
【００３３】
次に、上述した構成のファクシミリ装置１の原稿の読取からファクシミリ送信に至る一連の基本的な処理を図３の第１フローチャート及び図４の第２フローチャートに基づいて説明する。
【００３４】
先ず、図３の第１フローチャートに示すように、ファクシミリ装置１の制御部１０でスタートボタン１４ｃの押し下げの判断が行われる（Ｓ１）。スタートボタン１４ｃが押し下げられていない場合（Ｓ１：ＮＯ）、スタートボタン１４ｃが押し下げられるまで処理待ちのループ状態になる。また、スタートボタン１４ｃが押し下げられた場合（Ｓ１：ＹＥＳ）、原稿載置ガラス１ａに原稿Ｇがセットされているかの判断が、原稿検出センサ１７からの検出信号の有無により制御部１０で行われる（Ｓ２）。
【００３５】
原稿載置ガラス１ａに原稿Ｇがセットされていない場合（Ｓ２：ＮＯ）、「原稿をセットして下さい」のメッセージが表示部１３に表示され（Ｓ３）、原稿Ｇがセットされるまで処理待ちのループ状態になる。一方、原稿載置ガラス１ａに原稿Ｇがセットされている場合（Ｓ２：ＹＥＳ）、次に、ファクシミリ送信の送信先がテンキー１４ａ等の操作により設定されているかの判断が、制御部１０で行われる（Ｓ４）。
【００３６】
送信先が設定されていない場合（Ｓ４：ＮＯ）、「送信先を設定して下さい」のメッセージが表示部１３に表示され（Ｓ５）、送信先が設定されるまで処理待ちのループ状態になる。また、送信先が設定されている場合（Ｓ４：ＹＥＳ）、次に、送信予定枚数が設定されているかの判断が行われる（Ｓ６）。
【００３７】
送信予定枚数が設定されていない場合（Ｓ６：ＮＯ）、「送信予定枚数を設定して下さい」のメッセージが表示部１３に表示され（Ｓ７）、送信予定枚数が設定されるまで処理待ちのループ状態になる。一方、送信予定枚数が設定されている場合（Ｓ６：ＹＥＳ）、図４の第２フローチャートに示すように、読取部１２が原稿の読取を行い（Ｓ８）、読み取った原稿の画像データが画像メモリ１９に記憶される。
【００３８】
次に、原稿の読取枚数が送信予定枚数と同一になったかの比較判断が制御部１０で行われ（Ｓ９）、同一になった場合（Ｓ９：ＹＥＳ）、画像メモリ１９に記憶されている画像データが送信される（Ｓ１０）。このように本発明に係るファクシミリ装置１は、読取枚数が送信予定枚数に達した場合、終了ボタンの押し下げに関係なく自動的に画像データの送信を行うため、従来のファクシミリ装置のように、終了ボタンの押し下げ忘れにより画像データが未送信になると云う事態を回避して、確実に送信が行われる。
【００３９】
また、原稿の読取枚数が送信予定枚数に比べて少ない場合（Ｓ９：ＮＯ）、原稿が読み取られてからの時間測定がタイマ部１８で開始され（Ｓ１１）、次の原稿が原稿載置ガラス１ａにセットされたか判断される（Ｓ１２）。次の原稿がセットされた場合（Ｓ１２：ＹＥＳ）、原稿の読取（Ｓ８）の処理段階へ戻り、以降、上述した内容と同様の処理が行われる。
【００４０】
一方、次の原稿がセットされていない場合（Ｓ１２：ＮＯ）、「次の原稿をセットして下さい」のメッセージが表示され（Ｓ１３）、測定した時間が設定された上限時間を越えたかの判断が制御部１０で行われる（Ｓ１４）。測定した時間が上限時間以下の場合（Ｓ１４：ＮＯ）、次の原稿がセットされているかの判断の段階（Ｓ１２）へ戻り、以降、上述した内容と同様の処理を行う。
【００４１】
また、測定した時間が上限時間を越えた場合（Ｓ１４：ＹＥＳ）、「原稿セットがタイムアップしました」の警告メッセージが表示され（Ｓ１５）、画像メモリ１９に記憶されている画像データ及びＲＡＭ１６に記憶されている各種データを消去して通信処理をリセットし終了する。このように原稿読取後、所定の時間内に次の原稿がセットされないときは、警告メッセージを出力してオペレータに知らせると共に、処理を中止することにより、原稿のセット待ちが継続する事態を一旦中止して、最初の処理段階に戻すことができる。
【００４２】
本発明に係るファクシミリ装置１は上述した処理を行うため、このようなファクシミリ装置１で原稿を送信するオペレータの操作内容は以下のようになる。オペレータは（１）原稿載置ガラス１ａ上に原稿をセットし、（２）送信先を設定し、（３）送信予定枚数を設定する。この状態で（４）スタートボタン１４ｃを押し下げて原稿を読み取らせ、（５）次の原稿があれば上述した（１）と（４）の操作を繰り返すことになる。
【００４３】
よって、オペレータは、通常の送信操作において、従来のファクシミリ装置のように、最後原稿の読取終了後に終了ボタンを押し下げることは不要になり、最初の原稿を読み取る前に送信予定枚数の設定を行った後、各原稿を読み取らせるだけで自動的に送信が行われ、オペレータの操作負担も軽減される。なお、上述した（１）原稿のセットから（３）送信予定枚数の設定に至る各操作は適宜順番を入れ替えてもよい。
【００４４】
また、本発明に係るファクシミリ装置１は、上述した形態に限定されるものではなく、種々の変形例の適用が可能である。例えば、表示部１３をタッチパネル方式とすることにより、操作部１４の各種キー及びボタンの内の一部又は全てを代用するようにしてもよい。さらに、ＮＣＵ２１に、ＤＳＵ（Ｄｉｇｉｔａｌ　Ｓｅｒｖｉｃｅ　Ｕｎｉｔ）を設けてデジタル回線網に接続可能にしてもよい。
【００４５】
さらに、また、原稿読取からの経過時間が上限時間に達した場合に出力されるタイムアップの旨は、表示部１３での表示以外に、ファクシミリ装置１にスピーカを設け音声で出力するようにしてもよく、さらに、表示及び音声の両方で出力してもよい。
【００４６】
また、操作部１４にファクシミリ送信の送信指示を受け付ける送信受付手段に相当する送信開始ボタンを設けると共に、この送信開始ボタンが押し下げられると、制御部１０は送信指示を受け付けて、実際に読み取られた原稿枚数が送信予定枚数に達していない場合でも、モデム２０等に対して上述した送信に係る制御を行うようにしてもよい。このような第１の変形例のファクシミリ装置の処理手順は、図５に示すように図４の第２フローチャートの一部に処理が追加されたものになる。
【００４７】
即ち、メッセージ表示（Ｓ１３）と測定時間等の比較判断（Ｓ１４）との間で、新たに、送信開始ボタンの押し下げの判断が制御部１０で行われ（Ｓ２０）、送信開始ボタンが押し下げられた場合（Ｓ２０：ＹＥＳ）、それまでに読み取られた分の原稿の画像データを送信する（Ｓ１０）。また、送信開始ボタンが押し下げられていない場合（Ｓ２０：ＮＯ）、上述した測定時間等の比較判断が行われ（Ｓ１４）、以下、上述した図４の第２フローチャートと同様の処理となる。
【００４８】
このように第１の変形例のファクシミリ装置では、設定された送信予定枚数に関係なく、読み取った原稿の画像データの送信が可能になり、送信予定枚数の設定に誤りがあった場合、送信予定枚数の設定後に実際の送信枚数が変更になった場合等にも、臨機応変な対応が可能になる。
【００４９】
さらに、第２の変形例として、操作部１４に送信予定枚数の変更を受け付ける変更受付手段として、メニューボタン１４ｂで切り換えられるメニューに送信予定枚数の変更設定メニューを追加して、送信予定枚数の変更設定メニューが表示された状態でテンキー１４ａにより入力された数値に、ＲＡＭ１６に記憶されている以前の送信予定枚数を書き換えて変更できるようにしてもよい。また、このように送信予定枚数が変更された場合、制御部１０は、変更後の送信予定枚数と読取枚数とを比較して、上述した送信開始タイミングの検出を行うようにする。
【００５０】
このような第２の変形例のファクシミリ装置の処理手順も、図６に示すように図４の第２フローチャートの一部に処理が追加されたものになる。即ち、メッセージ表示（Ｓ１３）と測定時間等の比較判断（Ｓ１４）との間で、新たに送信予定枚数の変更があるか否かの判断が制御部１０で行われる（Ｓ３０）。送信予定枚数の変更がある場合（Ｓ３０：ＹＥＳ）、読取枚数との比較判断の段階（Ｓ９）に戻り、新たに変更された送信予定枚数に対して読み取った原稿枚数の比較判断を行う。
【００５１】
また、送信予定枚数の変更がない場合（Ｓ３０：ＮＯ）、上述した時間の比較判断を行う（Ｓ１４）。なお、上述した以外の処理は、図４の第２フローチャートの場合と同様になる。このような第２の変形例のファクシミリ装置では、設定された送信予定枚数を変更して送信する処理が可能になり、最初の原稿を読み取る前における送信予定枚数の設定後に、実際の送信枚数が増加又は減少した場合でも、送信予定枚数を変更することにより、最後原稿の読取後に終了ボタンの押下操作を行うことなしに送信を行うことができる。
【００５２】
なお、上述した第１の変形例の送信開始ボタンの押下に対応するものと、第２の変形例の送信予定枚数の変更に対応するものとは組み合わせることも可能である。この場合は、上述した所要の構成をファクシミリ装置に設けると共に、図５のフローチャートにおける送信開始ボタンの押下の判断（Ｓ２０）と図６のフローチャートにおける送信予定枚数の変更有無の判断（Ｓ３０）とを、メッセージ表示（Ｓ１３）と測定時間等の比較判断（Ｓ１４）との間で直列的に組み合わせて処理を行うようにする。このようにすることで、設定された送信予定枚数が増加する場合でも減少する場合でも、一段と柔軟な送信処理が可能になる。
【００５３】
【発明の効果】
以上に詳述した如く、第１発明にあっては、送信予定枚数を設定すれば、後は、原稿を読み取らせるだけで、読取枚数が送信予定枚数に達すれば自動的に送信が行われるので、終了ボタンの操作を行うことなしに確実に読み取った原稿の画像データを送信できる。
第２発明にあっては、原稿読取から所要時間が経過しても、読取枚数が送信予定枚数より少なく、且つ、次の原稿が検出されない場合、原稿読取に係るタイムアップの旨が出力されるので、オペレータは装置の処理状況を確実に把握でき、その後の対応も容易になる。
【００５４】
第３発明にあっては、読取後に送信予定枚数が変更された場合等でも、臨機応変に対応して読み取った分の画像データを送信できる。
第４発明にあっては、読取開始後に送信予定枚数が増加又は減少した場合でも、送信予定枚数を変更して柔軟な送信処理を行うことができる。
【図面の簡単な説明】
【図１】本発明の実施形態に係るファクシミリ装置のブロック図である。
【図２】実施形態のファクシミリ装置の概略斜視図である。
【図３】送信処理に係る第１フローチャートである。
【図４】送信処理に係る第２フローチャートである。
【図５】第１の変形例の送信処理に係るフローチャートの一部である。
【図６】第２の変形例の送信処理に係るフローチャートの一部である。
【符号の説明】
１　ファクシミリ装置（通信装置）
１０　制御部
１２　読取部
１３　表示部
１４　操作部
１７　原稿検出センサ
１８　タイマ部
１９　画像メモリ
２０　モデム
Ｇ　原稿
【図１】
2004048508.tif 000003
【図２】
2004048508.tif 000004
【図３】
2004048508.tif 000005
【図４】
2004048508.tif 000006
【図５】
2004048508.tif 000007
【図６】
2004048508.tif 000008